(57)【要約】【課題】磁気ディスク装置を２以上搭載する磁気ディスクシステムにおいて、放射電磁波ノイズを抑える。【解決手段】磁気ディスクシステムにおいて、磁気ディスク装置のバッファクロックその他の動作クロック周波数を、ＳＣＳＩ　ＩＤ毎に、異なった周波数として、磁気ディスク装置から発生する放射ノイズの周波数帯域を、磁気ディスク装置毎に異なるようにし、放射ノイズが重畳されても高いレベルとならないようにする。【選択図】　図４
2004046995.tif 000002
【特許請求の範囲】
【請求項１】
ディスク媒体を回転駆動するスピンドルモータと、
情報を記録又は再生するヘッドと、
前記ヘッドを前記ディスク媒体の所望の位置へ移動する、ヘッド移動機構と、前記情報を電気的に処理し、クロック生成部を有するデータ処理装置とを有するディスク装置において、
自己のディスク装置の識別情報を、前記クロック生成部が認識し、かつ、該認識に基づいてクロックの周波数を設定する機能を有するディスク装置。
【請求項２】
請求項１記載のディスク装置において、前記クロック生成部は、ディスク装置に設けられた物理的手段により、自己のディスク装置の識別情報を認識することを特徴とするディスク装置。
【請求項３】
クロック生成部を有するディスク装置の少なくとも２つと、
前記ディスク装置に接続され、これらを制御する制御回路とを有するディスクシステムにおいて、
前記制御回路によって前記ディスク装置の識別情報を取得し、各ディスク装置の動作クロック周波数の設定を行う機能を有することを特徴とするディスクシステム。
【請求項４】
請求項３記載のディスクシステムにおいて、
あるディスク装置の動作クロック周波数を、他のディスク装置の動作クロック周波数と異なるように設定したディスクシステム。
【請求項５】
請求項１記載のディスク装置又は請求項３記載のディスクシステムにおいて、前記識別情報として、ＳＣＳＩの論理機器番号を用いるディスク装置又はディスクシステム。
【請求項６】
請求項５記載のディスク装置又はディスクシステムにおいて、
前記論理機器番号の偶数若しくは奇数により、２つのクロック周波数を使い分けることを特徴とするディスク装置又はディスクシステム。
【発明の詳細な説明】
【０００１】
【発明の属する技術分野】
本発明は、ディスク装置を複数備えたディスクシステムに係り、特に、システム全体として、放射電磁波ノイズレベルを抑制するために、ディスク装置に内蔵されたクロック信号生成回路のクロック周波数を調整する機能を有するディスクシステムに関する。
【０００２】
【従来の技術】
小型計算機、パーソナルコンピュータ、サーバーやＲＡＩＤ装置その他データストレージシステムなどの電子装置では、電子装置から発生する放射電磁波ノイズ（ＥＭＩ）を、所定の値（例えば、ＦＣＣの規格値）以下に抑える必要がある。そして従来から、電磁波ノイズの発生源を特定し、その発生源の信号波形から高周波成分を除去したり、アース電位の確保のためグラウンド（接地面）の配置を見直すなど、カットアンドトライにより対策を行ってきた。
【０００３】
【発明が解決しようとする課題】
最近の二以上の磁気ディスク装置を搭載する磁気ディスクシステムでは、各磁気ディスク装置が均一の電子的特性を有することから、ほぼ同一の周波数の放射電磁波ノイズを発している。この電磁ノイズは重畳され、相当に高いレベルとなってしまうという課題を、本願の発明者らは発見するに至った。なお、磁気ディスク装置における放射ノイズは、多くの場合、装置内部の電子回路を駆動させる、いわゆる動作クロックがノイズの発生源であり、クロックの基本周波数を逓倍した高調波で発生する。また、磁気ディスク装置に限らず、光ディスク媒体を使用するディスク装置においても、上記と同様の課題がある。
【０００４】
この課題を図３を用いて、磁気ディスク装置について補足説明する。
磁気ディスク装置２１、２２、２３は、同じ周波数のクロックで動作する。各磁気ディスク装置から発生する放射電磁波ノイズ（以下、適宜、放射ノイズと略記する）２４、２５、２６は、同じ周波数特性を有するノイズとなり、磁気ディスクシステム全体では重畳されて高レベルの放射ノイズ２７となってしまう。システム全体の電磁シールドを強化したり、個々の磁気ディスク装置から発生する放射ノイズを低減するだけでは、もはや限界が有った。
【０００５】
【課題を解決するための手段】
複数のディスク装置を搭載するディスクシステムにおいて、各ディスク装置が内蔵する、クロック信号生成回路のクロック周波数を、個別に設定する。
【０００６】
複数のディスク装置を搭載するディスクシステムにおいて、ディスク装置毎に、異なったクロック周波数に設定する。
【０００７】
複数のディスク装置を搭載するディスクシステムにおいて、例えば、ＳＣＳＩ論理機器番号が奇数のディスク装置におけるメモリ転送のクロック周波数を１２５ＭＨｚとし、偶数のディスク装置のメモリ転送のクロック周波数を１２３ＭＨｚとする。
【０００８】
ディスク装置からの放射ノイズを、ディスク装置毎に異なった周波数分布とでき放射ノイズの重畳が分散されるので、ディスクシステム全体として、ある周波数帯の放射ノイズを所定のレベル以下にできる。
【０００９】
図４を用い、磁気ディスク装置について補足説明する。
磁気ディスク装置２９、３０、３１はそれぞれ異なる周波数の動作クロックで動作する。各磁気ディスク装置から放射される放射ノイズ３２、３３、３４は、それぞれ異なる周波数帯域のノイズとなり、磁気ディスクシステム全体で重畳されても、高いレベルの放射ノイズ３５とはならない。
【００１０】
なお、放射ノイズレベルの測定における横軸の周波数分解能をΔｆとするとき、｜ｆ−ｆ´｜や｜ｆ−ｆ´´｜はΔｆより大きな値となるよう、磁気ディスク装置間で、所定のクロックを異なる値とすれば良い。
【００１１】
【発明の実施の形態】
ＳＣＳＩバスによって磁気ディスク装置が接続される磁気ディスクシステムを一例に、図１を用いて説明する。なお、磁気ディスク装置に限らず、光ディスク媒体等を用いたディスク装置においても本発明は適用可能である。
【００１２】
磁気ディスクシステムに有るホストアダプタ１と、磁気ディスク装置２、磁気ディスク装置３、磁気ディスク装置４は、ＳＣＳＩバス５によって接続される。
【００１３】
それぞれは、固有のＳＣＳＩ　ＩＤ、例えば、ホストアダプタ１はＩＤ７、磁気ディスク装置２、３、４はそれぞれ、ＩＤ０、ＩＤ１，ＩＤ２を持ち、ＳＣＳＩ　ＩＤによりＳＣＳＩバス５上の識別を行う。ＳＣＳＩバス上の動作は、ＡＮＳＩで規格化されているので、ここでは詳細な説明は省略する。なお、ホストアダプタに対応する制御回路は、何らかの情報伝達経路を介して、磁気ディスク装置２から４を電気的に接続し、自己の制御下に置く必要がある。
【００１４】
図２は、ＳＣＳＩバスに接続される磁気ディスク装置の構成例である。
ホストＩ／Ｆ制御部８は、ＳＣＳＩバスとの間でコマンド、ステータス、又は、データの送受を行う。ＣＰＵ９は、ホストＩ／Ｆ制御部８、バッファ制御部１０、データバッファ１１、サーボ制御部１２、ドライブＩ／Ｆ制御部１３及びＥＣＣ制御部１４を含めた磁気ディスク装置全体の制御を行う。
【００１５】
バッファ制御部１０、データバッファ１１は、ホストＩ／Ｆ制御部８及びドライブＩ／Ｆ制御部１３と接続され、データを、データバッファへ格納し、又は、データバッファから読み出す。クロック生成部７は、水晶発振器の基本クロックに基づいて、逓倍回路、ＰＬＬ回路等により動作クロックを生成し、各ブロックへ所定のクロックを供給する。基本的に各ブロックは、クロック生成部から供給されるクロックにより動作する。
【００１６】
ドライブＩ／Ｆ制御部１３は、信号処理装置１６とデータの送受を行う。サーボ制御部１２は、モータドライバ１５及び信号処理装置１６を制御する。モータドライバ１５は、図示しないボイスコイルモータに対し所定の電力を供給し、信号処理装置１６と制御信号を送受するＲ／Ｗアンプ１７と共に、Ｒ／Ｗヘッド１８を制御して、データ面記録媒体１９に対して情報の記録再生を行う。
【００１７】
なお、磁気ディスク媒体である、データ面記録媒体１９は、図示しないスピンドルモータによって回転駆動される。ディスク装置によっては、ボイスコイルモータの代わりに、リニアアクチュエータその他のヘッド移動機構を有している。
【００１８】
本実施の態様では、クロック生成部７で生成するクロックの周波数を、前述のＳＣＳＩ　ＩＤに応じて磁気ディスク装置毎に設定することにある。クロック周波数の設定は、ＣＰＵ９がＳＣＳＩ　ＩＤを認識し、クロック生成部に対して、所定の周波数を設定する信号を送出する。
【００１９】
周波数の設定の仕方は、ＣＰＵ９に依存する場合に限られない。ＳＣＳＩ　ＩＤは、物理的なスイッチやジャンパー線等で半固定的に設定される場合があり、この物理的な設定を、クロック生成部がＳＣＳＩ　ＩＤであると認識して、磁気ディスク装置毎に周波数を設定しても良い。
【００２０】
また、１６ｂｉｔのＷｉｄｅＳＣＳＩの場合、ＳＣＳＩ　ＩＤは、０から１５まで１６通りあるが、クロック周波数はＳＣＳＩ　ＩＤ毎に１対１に対応して１６通りに設定してもよく、または、例えば、奇数、偶数のＳＣＳＩ　ＩＤ毎に２種類の周波数としてもよい。周波数の種類、周波数の値は、例えば、１００ＭＨｚから１３０ＭＨｚの範囲のクロック周波数を用いる場合には、１２３ＭＨｚと１２５ＭＨｚの２種類を、ＩＤの偶奇に分けて、それぞれ設定しても良い。
【００２１】
本発明の実施例として、磁気ディスク装置と、これらを複数搭載する磁気ディスクシステムについて述べたが、本発明は、磁気ディスク装置のみに限定されるものでなく、放射電磁波ノイズの発生源と成り得るクロックを有する電子装置を、複数台、１つの筐体に実装して成る電子システムに適用可能である。
【００２２】
【発明の効果】
動作クロック周波数を、ディスク装置毎に設定可能とすることにより、ディスク装置からの放射ノイズの周波数分布を、ディスク装置毎に異ならせることができ、ディスクシステム全体において、所定の周波数帯域における放射電磁波ノイズのレベルを、所定の値以下とできる効果がある。
【図面の簡単な説明】
【図１】本発明が適用可能な、ＳＣＳＩバスに接続されたホストアダプタと複数の磁気ディスク装置との構成の概略を示す図である。
【図２】磁気ディスク装置の内部構成の概略を示すブロック図である。
【図３】ＳＣＳＩバスに接続された磁気ディスク装置が、同じ周波数帯域の放射ノイズを発生した場合に、放射ノイズが、磁気ディスクシステムにおいて重畳され、増大することを模式的に示した図である。
【図４】ＳＣＳＩバスに接続された磁気ディスク装置が、異なる周波数帯域の放射ノイズを発生した場合に、放射ノイズが、磁気ディスクシステムにおいて重畳されても、所定のレベルを超えないことを模式的に示した図である。
【符号の説明】
７．クロック生成部、　　　　８．ホストＩ／Ｆ制御部、
２７．同一周波数クロックを用いた磁気ディスクシステムにおける放射ノイズレベル、
３５．異なる周波数クロックを用いた磁気ディスクシステムにおける放射ノイズレベル。
【図１】
2004046995.tif 000003
【図２】
2004046995.tif 000004
【図３】
2004046995.tif 000005
【図４】
2004046995.tif 000006